【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
再充電可能バッテリーであって、
第１の温度（Ｔ１）から第２の温度（Ｔ２）の間の前記バッテリーの温度範囲にわたる１つのレベルの内部抵抗（Ｒ１）で、前記バッテリーを動作させるための少なくとも１つの負端子および少なくとも１つの正端子と、
Ｔ１またはＴ２のいずれかの外側での第２のレベルの内部抵抗（Ｒ２）で、前記バッテリーを動作させるための少なくとも１つの高抵抗端子であって、前記バッテリーのセル内または前記バッテリーのセル間の少なくとも１つの抵抗器シートに電気接続される前記少なくとも１つの高抵抗端子と、
前記バッテリーの温度がＴ１またはＴ２のいずれかの外側にあるときに、Ｒ２を能動化するスイッチと
を備えた前記再充電可能バッテリー。
【請求項２】
Ｒ２の値がＴ１よりも２℃低い温度で決定されかつＲ１がＴ１で決定される場合、Ｒ２／Ｒ１の値が、２以上１００以下の間の値である、請求項１に記載の再充電可能バッテリー。
【請求項３】
前記少なくとも１つの抵抗器シートが、黒鉛、高配向熱分解黒鉛（ＨＯＰＧ）、ステンレス鋼、ニッケル、クロム、ニクロム、銅、アルミニウム、チタン、またはこれらの組合せで作製されている、請求項１または２に記載の再充電可能バッテリー。
【請求項４】
前記少なくとも１つの抵抗器シートが、１〜１５０マイクロメートルの厚さを有する、請求項１〜３のいずれか一項に記載の再充電可能バッテリー。
【請求項５】
前記少なくとも１つの抵抗器シートが、その表面上に、ポリエチレン、ポリプロピレン、塩素化ポリプロピレン、ポリエステル、ポリイミド、ＰＶＤＦ、ＰＴＦＥ、ナイロン、またはこれらのコポリマーから選択される保護コーティングを有する、請求項１〜４のいずれか一項に記載の再充電可能バッテリー。
【請求項６】
前記少なくとも１つの抵抗器シートが、前記バッテリーセル内で均等に熱を発生させるように前記バッテリーのセル内で位置決めされる、請求項１〜５のいずれか一項に記載の再充電可能バッテリー。
【請求項７】
前記少なくとも１つの抵抗器シートが、前記バッテリー内で均等に熱を発生させるように前記バッテリー内のセル間に位置決めされる、請求項１〜５のいずれか一項に記載の再充電可能バッテリー。
【請求項８】
前記少なくとも１つの抵抗器シートが、２つのタブを有するように構成され、一方のタブが、前記バッテリー内のその他の電極タブに電気接続されて低抵抗端子を形成し、前記少なくとも１つの抵抗器シートの他方のタブが、前記少なくとも１つの高抵抗端子を形成している、請求項１〜７のいずれか一項に記載の再充電可能バッテリー。
【請求項９】
前記少なくとも１つの抵抗器シートが、ニッケル、銅、またはアルミで作製されている、請求項１〜８のいずれか一項に記載の再充電可能バッテリー。
【請求項１０】
前記少なくとも１つの抵抗器シートが、０．１から５の間の数値をアンペア・時（Ａｈ）を単位とするバッテリーの容量で割った値に等しい、オームを単位とする抵抗を有する、請求項１〜９のいずれか一項に記載の再充電可能バッテリー。
【請求項１１】
前記少なくとも１つの高抵抗端子が、追加の負端子である、請求項１〜１０のいずれか一項に記載の再充電可能バッテリー。
【請求項１２】
前記少なくとも１つの高抵抗端子が、追加の正端子である、請求項１〜１０のいずれか一項に記載の再充電可能バッテリー。
【請求項１３】
前記スイッチが、Ｒ１で前記バッテリーを動作させるための前記端子とＲ２で前記バッテリーを動作させるための前記端子との間を切り換えるために、熱によって自己能動化する、請求項１に記載の再充電可能バッテリー。
【請求項１４】
前記スイッチが、電気化学的継電器および温度制御器、温度センサーを備えた固体継電器、温度センサーを備えたパワーＭＯＳＦＥＴ、温度センサーを備えた高電流スイッチ、または、バイメタルスイッチで構成される、請求項１に記載の再充電可能バッテリー。
【請求項１５】
ニッケル−金属水素化物バッテリーである請求項１〜１４のいずれか一項に記載の再充電可能バッテリー。
【請求項１６】
リチウムイオンバッテリーである請求項１〜１４のいずれか一項に記載の再充電可能バッテリー。
【請求項１７】
請求項１〜１６のいずれか一項に記載の再充電可能バッテリーと、Ｒ１での前記バッテリーの動作とＲ２での前記バッテリーの動作との間で切り換わることができる制御器とを含むバッテリーシステム。
【請求項１８】
前記バッテリーの温度がＴ１またはＴ２のいずれかの外側にあるときに、Ｒ２を能動化するスイッチを能動化することによって、請求項１〜１６のいずれか一項に記載の再充電可能バッテリーを動作させるステップを具備する方法。
【請求項１９】
Ｒ２で前記バッテリーを動作させるステップをさらに具備し、
Ｒ２で前記バッテリーを動作させる前記ステップは、前記バッテリーの内部温度を上昇させるために定電圧−定電流（ＣＶＣＣ）サイクルを適用するステップを含む、請求項１８に記載の方法。
【請求項２０】
前記定電圧が０．２から１Ｖの間に設定され、電流限界が１Ｃから１０Ｃの間に設定される、請求項１９に記載の方法。
【手続補正２】
【補正対象書類名】明細書
【補正対象項目名】００７５
【補正方法】変更
【補正の内容】
【００７５】
本発明の好ましい実施形態およびその多様性の例のみを、本開示で示し記述する。本発明は、様々なその他の組合せおよび環境で使用することが可能であり、本明細書で表されるような本発明の概念の範囲内で変更または修正することが可能であることを理解されたい。したがって例えば、当業者なら、通常の実験方法を使用するだけで、本明細書に記述される特定の物質、手順、および配置構成の数多くの均等物を認識しまたは確認することができるであろう。そのような均等物は、本発明の範囲内にあると見なされかつ下記の特許請求の範囲により包含される。
なお、本発明には以下の態様が含まれることを付記する。
〔１〕
再充電可能バッテリーであって、
第１の温度（Ｔ１）から第２の温度（Ｔ２）の間の前記バッテリーの温度範囲全体にわたる１つのレベルの内部抵抗（Ｒ１）で、前記バッテリーを動作させるための少なくとも１つの負端子および少なくとも１つの正端子と、
Ｔ１またはＴ２のいずれかの外側での第２のレベルの内部抵抗（Ｒ２）で、前記バッテリーを動作させるための、少なくとも１つの高抵抗端子と、
前記バッテリーの温度がＴ１またはＴ２のいずれかの外側にあるときに、Ｒ２を能動化するスイッチと
を備えた前記再充電可能バッテリー。
〔２〕
前記少なくとも１つの高抵抗端子が、前記バッテリーのセル内または前記バッテリーのセル間の少なくとも１つの抵抗器シートに電気接続される、〔１〕に記載の再充電可能バッテリー。
〔３〕
前記少なくとも１つの高抵抗端子が、前記バッテリーのセル内の少なくとも１つの抵抗器シートに電気接続され、または前記少なくとも１つの抵抗器シートが、一体的に、前記バッテリーの前記セルの電極の一部である、〔１〕に記載の再充電可能バッテリー。
〔４〕
前記少なくとも１つの抵抗器シートが加熱要素として作用する、〔２〕または〔３〕のいずれか一項に記載の再充電可能バッテリー。
〔５〕
前記少なくとも１つの抵抗器シートが、黒鉛、高配向熱分解黒鉛（ＨＯＰＧ）、ステンレス鋼、ニッケル、クロム、ニクロム、銅、アルミニウム、チタン、またはこれらの組合せで作製されている、〔２〕または〔３〕のいずれか一項に記載の再充電可能バッテリー。
〔６〕
前記少なくとも１つの抵抗器シートが、１〜１５０マイクロメートルの厚さを有する、〔２〕または〔３〕のいずれか一項に記載の再充電可能バッテリー。
〔７〕
前記少なくとも１つの抵抗器シートが、電極−セパレーター積層体またはジェリーロールの内側に挟まれ、前記少なくとも１つの抵抗器シートが、任意にポリマーまたは酸化物の薄層でコーティングされて、前記抵抗器シートを前記バッテリー内の電解質から隔離する、〔２〕に記載の再充電可能バッテリー。
〔８〕
前記少なくとも１つの抵抗器シートが、前記バッテリーセル内で均等に熱を発生させるように前記バッテリーのセル内で位置決めされる、〔２〕に記載の再充電可能バッテリー。
〔９〕
前記少なくとも１つの抵抗器シートが、前記バッテリー内で均等に熱を発生させるように前記バッテリー内のセル間に位置決めされる、〔２〕に記載の再充電可能バッテリー。
〔１０〕
前記少なくとも１つの抵抗器シートが、２つのタブを有するように構成され、一方のタブが、前記バッテリー内のその他の電極タブに電気接続されて低抵抗端子を形成し、前記少なくとも１つの抵抗器シートの他方のタブが、前記少なくとも１つの高抵抗端子を形成している、〔３〕に記載の再充電可能バッテリー。
〔１１〕
前記少なくとも１つの抵抗器シートが、バッテリーセルで使用される２つの金属集電器のいずれか若しくは両方、または前記２つの金属集電器の一部と同じである、〔２〕に記載の再充電可能バッテリー。
〔１２〕
前記少なくとも１つの抵抗器シートが、銅またはアルミ箔で作製されている、〔２〕または〔３〕のいずれか一項に記載の再充電可能バッテリー。
〔１３〕
前記少なくとも１つの抵抗器シートが、０．１から５の間の数値をアンペア・時（Ａｈ）を単位とするバッテリーの容量で割った値に等しい、オームを単位とする抵抗を有する、〔２〕または〔３〕のいずれか一項に記載の再充電可能バッテリー。
〔１４〕
前記少なくとも１つの高抵抗端子が、追加の負端子である、〔１〕、〔２〕、または〔３〕のいずれか一項に記載の再充電可能バッテリー。
〔１５〕
前記少なくとも１つの高抵抗端子が、追加の正端子である、〔１〕、〔２〕、または〔３〕のいずれか一項に記載の再充電可能バッテリー。
〔１６〕
前記スイッチが、Ｒ１で前記バッテリーを動作させるための前記端子とＲ２で前記バッテリーを動作させるための前記端子との間で切り換わるために、温度センサーによって駆動される、〔１〕に記載の再充電可能バッテリー。
〔１７〕
前記スイッチが、Ｒ１で前記バッテリーを動作させるための前記端子とＲ２で前記バッテリーを動作させるための前記端子との間を切り換えるために、熱によって自己能動化する、〔１〕に記載の再充電可能バッテリー。
〔１８〕
前記自己能動化するスイッチが、凍結によって膨張しかつ前記スイッチを押して開放する水をベースにしたカプセル、Ｔ１もしくはＴ２またはその両方で相転移および目に見えるほどの体積変化を受ける相変化材料、バイメタルスイッチ、または温度Ｔ１もしくはＴ２もしくはその両方でその体積が目に見えるほど膨張する固体材料の中から選択されるスイッチである、〔１７〕に記載の再充電可能バッテリー。
〔１９〕
前記スイッチが、電気化学的継電器および温度制御器で構成されるか、または、温度センサーを備えた固体継電器、温度センサーを備えたパワーＭＯＳＦＥＴ、もしくは温度センサーを備えた高電流スイッチで構成される、〔１〕に記載の再充電可能バッテリー。
〔２０〕
ニッケル−金属水素化物バッテリーである〔１〕、〔２〕、または〔３〕のいずれか一項に記載の再充電可能バッテリー。
〔２１〕
リチウムイオンバッテリーである〔１〕、〔２〕、または〔３〕のいずれか一項に記載の再充電可能バッテリー。
〔２２〕
パウチ、円筒状、プリズム状、または角のある形を有する〔１〕、〔２〕、または〔３〕のいずれか一項に記載の再充電可能バッテリー。
〔２３〕
〔１〕に記載の再充電可能バッテリーと、Ｒ１での前記バッテリーの動作とＲ２での前記バッテリーの動作との間で切り換わることができる制御器とを含むバッテリーシステム。
〔２４〕
Ｔ１およびＴ２の温度を決定するための温度センサーをさらに含む〔２３〕に記載のバッテリーシステム。
〔２５〕
少なくとも２つのレベルの内部抵抗を有する再充電可能バッテリーを動作させる方法であって、
第１の温度（Ｔ１）から第２の温度（Ｔ２）の間の前記バッテリーの温度範囲全体にわたる１つのレベルの内部抵抗（Ｒ１）で、前記バッテリーを動作させるステップと、
前記バッテリーの温度がＴ１またはＴ２のいずれかの外側にあるときに、Ｒ２を能動化するスイッチを能動化することによって、Ｔ１またはＴ２のいずれかの外側での第２のレベルの内部抵抗（Ｒ２）で、前記バッテリーを動作させるステップと
を具備する前記方法。
〔２６〕
前記バッテリー温度がＲ２で前記バッテリーを動作させるのにＴ１よりも低くまたはＴ２よりも高い場合、前記スイッチは開放される、〔２５〕に記載の方法。
〔２７〕
前記バッテリー温度がＲ１で前記バッテリーを動作させるのにＴ１からＴ２の間である場合、前記スイッチは閉鎖される、〔２５〕に記載の方法。
〔２８〕
少なくとも２つのレベルの内部抵抗を有する、再充電可能バッテリーを動作させる方法であって、
第１の温度（Ｔ１）から第２の温度（Ｔ２）の間の前記バッテリーの温度範囲全体にわたる１つのレベルの内部抵抗（Ｒ１）で、前記バッテリーを動作させるステップと、
Ｔ１またはＴ２のいずれかの外側での第２のレベルの内部抵抗（Ｒ２）で、前記バッテリーを動作させるステップと
を具備し、
Ｒ２で前記バッテリーを動作させるステップは、前記バッテリーの内部温度を上昇させるために定電圧−定電流（ＣＶＣＣ）サイクルを適用するステップを含む、前記方法。
〔２９〕
前記定電圧が０．２から１Ｖの間に設定され、電流限界が１Ｃから１０Ｃの間に設定される、〔２８〕に記載の方法。